(57)【要約】【課題】公平なサービスの提供を図ることを可能とする無線通信システム、無線基地局及び無線通信方法を提供する。【解決手段】無線通信システムは、第１呼種の開始後において、第１呼種を行っている間の第１呼種の利用実績を測定するデータ量測定部２２４と、第１呼種を行っている間において、第１呼種の利用実績に基づいて、第１呼種のスケジューリング順を設定するＭＡＣ処理部２２２とを備える。【選択図】  図３
2010193080.tif 000002
【特許請求の範囲】
【請求項１】
無線リソースを時分割で割り当てる第１呼種を提供する無線通信システムであって、
前記第１呼種の開始後において、前記第１呼種を行っている間の前記第１呼種の利用実績を測定する測定部と、
前記第１呼種を行っている間において、前記第１呼種の利用実績に基づいて、前記第１呼種のスケジューリング順を設定する設定部とを備えることを特徴とする無線通信システム。
【請求項２】
前記設定部は、前記第１呼種を行っている間の前記第１呼種の通信品質に基づいて、前記第１呼種のスケジューリング順を設定することを特徴とする請求項１に記載の無線通信システム。
【請求項３】
前記設定部は、前記第１呼種を行っている間の前記第１呼種の平均伝送速度に基づいて、前記第１呼種のスケジューリング順を設定することを特徴とする請求項１に記載の無線通信システム。
【請求項４】
前記設定部は、前記第１呼種の目標伝送速度と前記第１呼種の平均伝送速度との差分に基づいて、前記第１呼種のスケジューリング順を設定することを特徴とする請求項３に記載の無線通信システム。
【請求項５】
無線リソースを時分割で割り当てる第１呼種を提供する無線通信システムに設けられた無線基地局であって、
前記第１呼種の開始後において、前記第１呼種を行っている間の前記第１呼種の利用実績を測定する測定部と、
前記第１呼種を行っている間において、前記第１呼種の利用実績に基づいて、前記第１呼種のスケジューリング順を設定する設定部とを備えることを特徴とする無線基地局。
【請求項６】
無線リソースを時分割で割り当てる第１呼種を提供する無線通信方法であって、
前記第１呼種の開始後において、前記第１呼種を行っている間の前記第１呼種の利用実績を測定するステップＡと、
前記第１呼種を行っている間において、前記第１呼種の利用実績に基づいて、前記第１呼種のスケジューリング順を設定するステップＢとを備えることを特徴とする無線通信方法。
【発明の詳細な説明】
【技術分野】
【０００１】
本発明は、無線リソースを時分割で割り当てる第１呼種を提供する無線通信システム、無線基地局及び無線通信方法に関する。
【背景技術】
【０００２】
従来、呼に設定された優先度クラス（例えば、“ｐｒｉｏｒｉｔｙ  ｃｌａｓｓ”）に応じて、無線リソースの割り当てを制御する技術が知られている。一般的に、呼の優先度クラスは、契約形態などによって固定的に設定される。
【０００３】
例えば、無線リソースを時分割で割り当てる呼種（以下、第１呼種）では、無線リソースの割り当ての制御は、無線リソース（タイムスロットや周波数）を呼に割り当てる順序（スケジューリング順）の制御である。第１呼種は、例えば、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）やＨＳＵＰＡ（Ｈｉｇｈ  Ｓｐｅｅｄ  Ｕｐｌｉｎｋ  Ｐａｃｋｅｔ  Ａｃｃｅｓｓ）に対応する呼である。
【０００４】
一方で、伝送速度に応じて無線リソースを割り当てる呼種（以下、第２呼種）では、無線リソースの割り当ての制御は、無線リソースの割り当てによって変化する伝送速度（割当伝送速度）の制御である。第２呼種は、例えば、Ｒ９９（Ｒｅｌｅａｓｅ  ９９）に対応する呼である。
【０００５】
なお、呼の優先度クラスは、無線制御装置や交換局などの上位ノードから無線基地局に通知される。
【０００６】
具体的には、３ＧＰＰ（３ｒｄ  Ｇｅｎｅｒａｔｉｏｎ  Ｐａｒｔｎｅｒｓｈｉｐ  Ｐｒｏｊｅｃｔ）で標準化されるＷ−ＣＤＭＡ／ＵＴＭＳシステムでは、交換局から無線制御装置へ通知する信号フォーマットとして、“Ａｌｌｏｃａｔｉｏｎ／Ｒｅｔｅｎｔｉｏｎ  Ｐｒｉｏｒｉｔｙ  Ｌｅｖｅｌ”によって呼の優先度クラスを通知可能である（例えば、非特許文献１）。また、無線制御装置から無線基地局への信号フォーマットとして、“ＭＡＣ−ｈｓ  Ｓｃｈｅｄｕｌｉｎｇ  Ｐｒｉｏｒｉｔｙ  Ｉｎｄｉｃａｔｏｒ”によって呼の優先度クラスを通知可能である（例えば、非特許文献２）。
【先行技術文献】
【非特許文献】
【０００７】
【非特許文献１】ＴＳ２５．４１３  Ｖ７．９．０  “ＵＴＲＡＮ  Ｉｕ  ｉｎｔｅｒｆａｃｅ  ＲＡＮＡＰ  ｓｉｇｎａｌｌｉｎｇ”
【非特許文献２】ＴＳ２５．４３３  Ｖ８．１．０  “ＵＴＲＡＮ  Ｉｕｂ  ｉｎｔｅｒｆａｃｅ  Ｎｏｄｅ  Ｂ  Ａｐｐｌｉｃａｔｉｏｎ  Ｐａｒｔ  （ＮＢＡＰ）  ｓｉｇｎａｌｌｉｎｇ”
【発明の概要】
【発明が解決しようとする課題】
【０００８】
上述したように、呼の優先度クラスに応じて、無線リソースの割り当てが制御される。従って、ユーザやサービス毎に、ＱｏＳ（Ｑｕａｌｉｔｙ  ｏｆ  Ｓｅｒｖｉｃｅ）の差別化が図られる。
【０００９】
しかしながら、一般的に、呼の優先度クラスは、契約形態などによって固定的に設定されている。従って、例えば、優先度クラスの高い呼による通信量が多量である場合には、優先度クラスの低い呼による通信量が少量であっても、優先度クラスの低い呼による伝送速度が低下してしまう。このように、各ユーザに対して公平なサービスを提供することができていなかった。
【００１０】
そこで、本発明は、上述した課題を解決するためになされたものであり、公平なサービスの提供を図ることを可能とする無線通信システム、無線基地局及び無線通信方法を提供することを目的とする。
【課題を解決するための手段】
【００１１】
第１の特徴に係る無線通信システムは、無線リソースを時分割で割り当てる第１呼種を提供する。無線通信システムは、前記第１呼種の開始後において、前記第１呼種を行っている間の前記第１呼種の利用実績を測定する測定部と、前記第１呼種を行っている間において、前記第１呼種の利用実績に基づいて、前記第１呼種のスケジューリング順を設定する設定部とを備える。
【００１２】
第１の特徴において、前記設定部は、前記第１呼種を行っている間の前記第１呼種の通信品質に基づいて、前記第１呼種のスケジューリング順を設定する。
【００１３】
第１の特徴において、前記設定部は、前記第１呼種を行っている間の前記第１呼種の平均伝送速度に基づいて、前記第１呼種のスケジューリング順を設定する。
【００１４】
第１の特徴に基づいて、前記設定部は、前記第１呼種の目標伝送速度と前記第１呼種の平均伝送速度との差分に基づいて、前記第１呼種のスケジューリング順を設定する。
【００１５】
第２の特徴に係る無線基地局は、無線リソースを時分割で割り当てる第１呼種を提供する無線通信システムに設けられる。無線基地局は、前記第１呼種の開始後において、前記第１呼種を行っている間の前記第１呼種の利用実績を測定する測定部と、前記第１呼種を行っている間において、前記第１呼種の利用実績に基づいて、前記第１呼種のスケジューリング順を設定する設定部とを備える。
【００１６】
第３の特徴に係る無線通信方法では、無線リソースを時分割で割り当てる第１呼種が提供される。無線通信方法は、前記第１呼種の開始後において、前記第１呼種を行っている間の前記第１呼種の利用実績を測定するステップＡと、前記第１呼種を行っている間において、前記第１呼種の利用実績に基づいて、前記第１呼種のスケジューリング順を設定するステップＢとを備える。
【発明の効果】
【００１７】
本発明によれば、公平なサービスの提供を図ることを可能とする無線通信システム、無線基地局及び無線通信方法を提供することができる。
【図面の簡単な説明】
【００１８】
【図１】実施形態に係る無線通信システムを示す図である。
【図２】実施形態に係る無線基地局２０を示すブロック図である。
【図３】実施形態に係るベースバンド信号処理部２２０を示すブロック図である。
【図４】実施形態に係るＭＡＣ処理部２２２を示すブロック図である。
【図５】実施形態に係る優先度を特定するためのテーブルを示す図である。
【図６】実施形態に係る無線基地局２０の動作を示すフロー図である。
【図７】変更例１に係る目標伝送速度を特定するためのテーブルを示す図である。
【発明を実施するための形態】
【００１９】
以下において、本発明の実施形態に係る無線通信システムについて、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［実施形態の概要］
実施形態は、無線リソースを時分割で割り当てる第１呼種を提供する無線通信システムに関する。なお、無線通信システムは、伝送速度に応じて無線リソースを割り当てる第２呼種を提供してもよい。
【００２２】
第１呼種は、例えば、Ｗ−ＣＤＭＡではＨＳＤＰＡ（Ｈｉｇｈ  Ｓｐｅｅｄ  Ｄｏｗｎｌｉｎｋ  Ｐａｃｋｅｔ  Ａｃｃｅｓｓ）のベアラやＬＴＥ（Ｌｏｎｇ  Ｔｅｒｍ  Ｅｖｏｌｕｔｉｏｎ）方式のパケットベアラに対応する呼である。第１呼種では、無線リソースの割り当ての制御は、無線リソース（タイムスロットや周波数）を呼に割り当てる順序（スケジューリング順）の制御である。
【００２３】
なお、スケジューリング順は、無線基地局（ｅＮｏｄｅＢ）によって制御される。また、無線基地局は、無線リソースの割り当て制御において、無線区間の混雑状況に依存せずに、第１呼種の優先度クラスを適用することに留意すべきである。
【００２４】
ここで、高い優先度クラスを有する第１呼種については、無線リソースが割り当てられる機会が多く、低い優先度クラスを有する第１呼種については、無線リソースが割り当てられる機会が少ない。
【００２５】
第１呼種の優先度クラスは、コアネットワーク４０（例えば、ＭＭＥ；Ｍｏｂｉｌｉｔｙ  Ｍａｎｅａｇｅｍｅｎｔ  Ｅｎｔｉｔｙ）によって設定され、コアネットワーク４０から無線基地局２０に通知される。
【００２６】
第２呼種は、例えば、Ｒ９９（Ｒｅｌｅａｓｅ  ９９）に対応する呼である。第２呼種では、無線リソースの割り当ての制御は、無線リソースの割り当てによって変化する伝送速度（割当伝送速度）の制御である。
【００２７】
なお、割当伝送速度は、無線制御装置（ＲＮＣ）によって制御される。無線制御装置は、無線リソースの割り当て制御において、無線区間の混雑状況に応じて、第２呼種の優先度クラスを適用することに留意すべきである。
【００２８】
ここで、高い優先度クラスを有する第２呼種については、高い割当伝送速度（例えば、６４ｋｂｐｓ）に相当する無線リソースが割り当てられ、低い優先度クラスを有する第２呼種については、低い割当伝送速度（例えば、３２ｋｂｐｓ）に相当する無線リソースが割り当てられる。
【００２９】
第２呼種の優先度クラスは、コアネットワーク４０（例えば、交換機）によって設定され、コアネットワーク４０から無線制御装置に通知される。
【００３０】
ここで、無線通信システムは、第１呼種の開始後において、第１呼種を行っている間の第１呼種の利用実績を測定する測定部と、第１呼種の利用実績に基づいて、第１呼種のスケジューリング順を設定する設定部とを備える。
【００３１】
実施形態では、設定部は、第１呼種を行っている間の第１呼種の利用実績に基づいて、第１呼種のスケジューリング順を設定する。例えば、第１呼種の利用実績が多いほど、スケジューリング順を遅らせ、第１呼種の利用実績が少ないほど、スケジューリング順を早める。従って、公平なサービスの提供することができる。
【００３２】
［実施形態］
（無線通信システム）
以下において、実施形態に係る無線通信システムについて、図面を参照しながら説明する。図１は、実施形態に係る無線通信システムを示す図である。無線通信システムは、Ｅｖｏｌｖｅｄ  ＵＴＲＡ  ａｎｄ  ＵＴＲＡＮ（ＬＴＥ：Ｌｏｎｇ  Ｔｅｒｍ  Ｅｖｏｌｕｔｉｏｎ、又は、Ｓｕｐｅｒ  ３Ｇ）が適用されるシステムである。従って、Ｒ９９で用いられる構成（例えば、無線制御装置）は省略されていることに留意すべきである。
【００３３】
例えば、無線通信システムでは、下りリンクについては、無線アクセス方式として、ＯＦＤＭＡ（直交周波数分割多元接続）が用いられる。また、無線通信システムでは、無線アクセス方式として、上りリンクについては、ＳＣ−ＦＤＭＡ（シングルキャリア−周波数分割多元接続）が用いられる。
【００３４】
ＯＦＤＭＡでは、周波数帯域が複数の狭い周波数帯域（サブキャリア）に分割されており、複数のサブキャリアを用いてデータが伝送される。ＳＣ−ＦＤＭＡでは、周波数帯域が分割されており、複数の無線端末間で異なる周波数帯域を用いてデータが伝送される。これによって、ＳＣ−ＦＤＭＡでは、複数の無線端末間の干渉が低減される。
【００３５】
図１に示すように、無線通信システムは、無線端末１０にサービスを提供する。例えば、無線通信システムは、無線リソースを時分割で割り当てる第１呼種及び伝送速度に応じて無線リソースを割り当てる第２呼種を提供する。実施形態では、第１呼種は、ＨＳＤＰＡやＨＳＵＰＡに対応する呼であり、第２呼種は、Ｒ９９に対応する呼である。また、実施形態では、第１呼種及び第２呼種がパケット交換呼であるケースについて主として説明する。
【００３６】
具体的には、無線通信システムは、無線基地局２０と、アクセスゲートウェイ３０と、コアネットワーク４０とを有する。
【００３７】
無線端末１０は、携帯電話、ＰＤＡ、ノートＰＣなどの端末である。無線端末１０は、無線チャネルを介して無線基地局２０と通信を行う。無線端末１０は、ＵＥ（Ｕｓｅｒ  Ｅｑｕｉｐｍｅｎｔ）と称されることもある。
【００３８】
各無線基地局２０は、各セル８０を管理する。具体的には、無線基地局２０は、セル８０に在圏する無線端末１０と無線チャネルを介して通信を行う。無線基地局２０は、ｅＮＢ（ｅＮｏｄｅ  Ｂ）と称されることもある。
【００３９】
実施形態では、無線基地局２０として、無線基地局２０ａ〜無線基地局２０ｄが設けられている。同様に、セル８０として、セル８０ａ〜セル８０ｄが設けられている。複数のセル８０（セル８０ａ〜セル８０ｄ）はサービスエリアを構成する。
【００４０】
ここで、無線基地局２０は、複数の無線端末１０と通信を行うことに留意すべきである。無線基地局２０は、第１呼種について、無線リソースの割り当てを制御する。具体的には、無線基地局２０は、無線リソース（タイムスロットや周波数）を呼に割り当てる順序（スケジューリング順）を制御する。
【００４１】
なお、無線基地局２０の詳細については後述する（図２を参照）。
【００４２】
アクセスゲートウェイ３０は、複数の無線基地局２０を管理する装置である。すなわち、アクセスゲートウェイ３０は、無線基地局２０の上位ノードである。
【００４３】
コアネットワーク４０は、例えば、ＭＭＥ（Ｍｏｂｉｌｉｔｙ  Ｍａｎｅａｇｅｍｅｎｔ  Ｅｎｔｉｔｙ）を有する。コアネットワーク４０は、ＥＰＣ（Ｅｖｏｌｖｅｄ  Ｐａｃｋｅｔ  Ｃｏｒｅ）と称されることもある。
【００４４】
（チャネル構成）
以下において、実施形態に係る第１呼種のチャネル構成について説明する。なお、第２呼種に係るチャネル構成については省略する。
【００４５】
下りリンクとしては、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、第１呼種用の下り制御チャネル等が挙げられる。上りリンクとしては、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）、第１呼種用の上り制御チャネル等が挙げられる。
【００４６】
下りリンクでは、物理下りリンク共有チャネルにマッピングされるユーザの情報やトランスポートフォーマットの情報、物理上りリンク共有チャネルにマッピングされるユーザの情報やトランスポートフォーマットの情報、物理上りリンク共有チャネルの送達確認情報等が、第１呼種用の下り制御チャネルによって無線端末１０に伝送される。
【００４７】
また、下りリンクでは、ユーザデータが物理下りリンク共有チャネルによって伝送される。ユーザデータは、例えば、ウェブブラウジング、ファイル転送（ＦＴＰ）、音声パケット（ＶｏＩＰ）等のＩＰパケット、無線リソース制御（ＲＲＣ：Ｒａｄｉｏ  Ｒｅｓｏｕｒｃｅ  Ｃｏｎｔｒｏｌ）に用いる制御信号などである。ユーザデータは、物理チャネルとしては、物理下りリンク共有チャネルにマッピングされ、トランスポートチャネルとしては、下りリンク共有チャネル（ＤＬ−ＳＣＨ）にマッピングされる。
【００４８】
上りリンクでは、下りリンクの品質情報（ＣＱＩ：Ｃｈａｎｎｅｌ  Ｑｕａｌｉｔｙ  Ｉｎｄｉｃａｔｏｒ）、物理下りリンク共有チャネルの送達確認情報等が、第１呼種用の上り制御チャネルによって無線端末１０に通知される。なお、下りリンクの品質情報（ＣＱＩ）は、物理下りリンク共有チャネルのスケジューリング、適応変調及び符号化（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ）に用いられる。第１呼種用の上り制御チャネルは、物理上りリンク共有チャネルと時間多重されるチャネルと、物理上りリンク共有チャネルと周波数重畳されるチャネルとを含む。
【００４９】
また、上りリンクでは、ユーザデータが物理上りリンク共有チャネルによって伝送される。ユーザデータは、例えば、ウェブブラウジング、ファイル転送（ＦＴＰ）、音声パケット（ＶｏＩＰ）等のＩＰパケット、無線リソース制御（ＲＲＣ：Ｒａｄｉｏ  Ｒｅｓｏｕｒｃｅ  Ｃｏｎｔｒｏｌ）に用いる制御信号などである。ユーザデータは、物理チャネルとしては、物理上りリンク共有チャネルにマッピングされ、トランスポートチャネルとしては、上りリンク共有チャネル（ＵＬ−ＳＣＨ）にマッピングされる。
【００５０】
（無線基地局）
以下において、実施形態に係る無線基地局について、図面を参照しながら説明する。図２は、実施形態に係る無線基地局２０を示すブロック図である。
【００５１】
図２に示すように、無線基地局２０は、無線通信部２１０と、ベースバンド信号処理部２２０と、伝送路ＩＦ２３０と、呼処理部２４０とを有する。
【００５２】
下りリンクについて、無線通信部２１０は、無線周波数信号を無線端末１０に送信する。ここで、無線通信部２１０は、無線端末１０に送信するベースバンド信号を無線周波数信号に変換した上で、無線周波数信号を増幅する。
【００５３】
上りリンクについて、無線通信部２１０は、無線周波数信号を無線端末１０から受信する。ここで、無線通信部２１０は、無線端末１０から受信する無線周波数信号を増幅した上で、無線周波数信号をベースバンド信号に変換する。
【００５４】
ベースバンド信号処理部２２０は、Ｌ１（Ｌａｙｅｒ１）の処理、ＰＤＣＰレイヤ（Ｐａｃｋｅｔ  Ｄａｔａ  Ｃｏｎｖｅｒｇｅｎｃｅ  Ｐｒｏｔｏｃｏｌ  Ｌａｙｅｒ）の処理、ＲＬＣレイヤ（Ｒａｄｉｏ  ＬｉｎＫ  Ｃｏｎｔｒｏｌ  Ｌａｙｅｒ）の処理、ＭＡＣレイヤ（Ｍｅｄｉａ  Ａｃｃｅｓｓ  Ｃｏｎｔｏｌ  Ｌａｙｅｒ）の処理を行う。
【００５５】
例えば、下りリンクでは、上述した各レイヤの処理として、再送制御処理（例えば、ＨＡＲＱ：Ｈｙｂｒｉｄ  Ａｕｔｏｍａｔｉｃ  Ｒｅｐｅａｔ  ｒｅＱｕｅｓｔ）、スケジューリング処理、伝送フォーマット選択処理、チャネル符号化処理、ＩＦＦＴ処理などが行われる。
【００５６】
例えば、上りリンクでは、上述した各レイヤの処理として、ＦＦＴ処理、ＩＤＦＴ処理、チャネル復号化処理、誤り訂正復号処理、再送制御処理（例えば、ＨＱＲＱ）等が行われる。
【００５７】
なお、ベースバンド信号処理部２２０の詳細については後述する（図３を参照）。
【００５８】
伝送路ＩＦ２３０は、アクセスゲートウェイ３０と通信を行うためのインタフェースである。例えば、伝送路ＩＦ２３０は、コアネットワーク４０によって設定された第１呼種の優先度クラスをコアネットワーク４０からアクセスゲートウェイ３０を介して取得する。
【００５９】
呼処理部２４０は、通信チャネルの設定又は解放などの呼処理、無線基地局２０の状態管理、無線基地局２０の無線リソースの管理などを行う。
【００６０】
（ベースバンド信号処理部）
以下において、実施形態に係るベースバンド信号処理部について、図面を参照しながら説明する。図３は、実施形態に係るベースバンド信号処理部２２０を示すブロック図である。
【００６１】
図３に示すように、ベースバンド信号処理部２２０は、Ｌ１処理部２２１と、ＭＡＣ処理部２２２と、ＲＬＣ／ＰＤＣＰ処理部２２３と、データ量測定部２２４とを備える。
【００６２】
Ｌ１処理部２２１は、レイヤ１の処理を行う。具体的には、Ｌ１処理部２２１は、下りリンクのデータについて、チャネル符号化処理、ＩＦＦＴ処理などを行う。Ｌ１処理部２２１は、上りリンクのデータについて、ＦＦＴ処理、ＩＤＦＴ処理、チャネル復号化処理などを行う。
【００６３】
Ｌ１処理部２２１は、下りリンクの共有チャネルの制御情報（例えば、Ｄｏｗｎｌｉｎｋ  Ｓｃｈｅｄｕｌｉｎｇ  Ｉｎｆｏｒｍａｔｉｏｎ）、上りリンクの共有チャネルの制御情報（例えば、Ｕｐｌｉｎｋ  Ｓｃｈｅｄｕｌｉｎｇ  Ｉｎｆｏｒｍａｔｉｏｎ）を無線端末１０に送信する。また、Ｌ１処理部２２１は、上りリンクの送達確認情報を無線端末１０に送信する。
【００６４】
Ｌ１処理部２２１は、下りリンクの品質情報（ＣＱＩ）、下りリンクの送達確認情報を無線端末１０から受信する。下りリンクの品質情報（ＣＱＩ）は、ＭＡＣ処理部２２２に通知される。
【００６５】
Ｌ１処理部２２１は、無線端末１０から受信する上りリンクのリファレンス信号及び下りリンクの品質情報に基づいて、上りリンクの同期状態を判定する。上りリンクの同期状態は、ＭＡＣ処理部２２２に通知される。
【００６６】
Ｌ１処理部２２１は、無線端末１０から受信する上りリンクのリファレンス信号及び下りリンクの品質情報に基づいて、上りリンクの受信タイミングを推定してもよい。
【００６７】
Ｌ１処理部２２１は、第１呼種を行っている間における下りリンクのデータ送信に用いる無線リソース量をデータ量測定部２２４に通知するように構成されていてもよい。Ｌ１処理部２２１は、第１呼種を行っている間における上りリンクのデータ送信に用いる無線リソース量をデータ量測定部２２４に通知するように構成されていてもよい。
【００６８】
なお、無線リソースは、例えば、周波数リソース、時間リソース、コードリソース或いは電力リソースである。周波数リソースは、リソースブロック数であってもよい。
【００６９】
ＭＡＣ処理部２２２は、ＭＡＣレイヤの処理を行う。具体的には、ＭＡＣ処理部２２２は、ＭＡＣレイヤにおける再送制御（例えば、ＨＡＲＱ）処理、スケジューリング処理、伝送フォーマット選択処理を行う。なお、ＭＡＣ処理部２２２の詳細については後述する（図４を参照）。
【００７０】
ＲＬＣ／ＰＤＣＰ処理部２２３は、ＲＬＣレイヤの処理、ＰＤＣＰレイヤの処理を行う。具体的には、ＲＬＣ／ＰＤＣＰ処理部２２３は、下りリンクのデータに係る送信処理を行う。例えば、ＲＬＣ／ＰＤＣＰ処理部２２３は、下りリンクのデータついて、ＰＤＣＰレイヤにおけるパケットの分割及び統合、ＲＬＣレイヤにおける再送制御処理を行う。ＲＬＣ／ＰＤＣＰ処理部２２３は、上りリンクのデータに係る受信処理を行う。例えば、ＲＬＣ／ＰＤＣＰ処理部２２３は、上りリンクのデータについて、ＰＤＣＰレイヤにおけるパケットの分割及び統合、ＲＬＣレイヤにおける再送制御処理を行う。
【００７１】
ＲＬＣ／ＰＤＣＰ処理部２２３は、第１呼種を行っている間において、ＲＬＣレイヤにおける下りリンクの送信データ量をデータ量測定部２２４に通知するように構成されていてもよい。ＲＬＣ／ＰＤＣＰ処理部２２３は、第１呼種を行っている間において、ＲＬＣレイヤにおける上りリンクの受信データ量をデータ量測定部２２４に通知するように構成されていてもよい。
【００７２】
又は、ＲＬＣ／ＰＤＣＰ処理部２２３は、第１呼種を行っている間において、ＰＤＣＰレイヤにおける下りリンクの送信データ量をデータ量測定部２２４に通知するように構成されていてもよい。ＲＬＣ／ＰＤＣＰ処理部２２３は、第１呼種を行っている間において、ＰＤＣＰレイヤにおける上りリンクの受信データ量をデータ量測定部２２４に通知するように構成されていてもよい。
【００７３】
なお、ＲＬＣ／ＰＤＣＰ処理部２２３は、ＲＬＣレイヤ及びＰＤＣＰレイヤの双方における送信データ量（又は、受信データ量）をデータ量測定部２２４に通知するように構成されていてもよい。
【００７４】
データ量測定部２２４は、第１呼種の開始後において、第１呼種を行っている間の第１呼種の利用実績を測定する。
【００７５】
第１呼種の利用実績としては、例えば、以下に示す利用実績を用いることができる。
（１）  第１呼種を行っている間における下りリンクの送信データ量の累積値
（２）  第１呼種を行っている間における上りリンクの受信データ量の累積値
（３）  第１呼種を行っている間における下りリンク及び上りリンクの送信データ量の累積値
（４）  第１呼種を行っている間における下りリンクのデータ送信に用いる無線リソース量の累積値
（５）  第１呼種を行っている間における上りリンクのデータ受信に用いる無線リソース量の累積値
（６）  第１呼種を行っている間における上りリンクのデータ送信及びデータ受信に用いる無線リソース量の累積値
【００７６】
（１）〜（６）に示す利用実績は、無線端末１０毎に測定されてもよい。（１）〜（６）に示す利用実績は、サービス種別毎に測定されてもよい。（１）〜（６）に示す利用実績は、契約種別又は優先度クラス毎に測定されてもよい。（１）〜（６）に示す利用実績は、無線端末１０と無線基地局２０との間に設定された論理チャネル（Ｌｏｇｉｃａｌ  Ｃｈａｎｎｅｌ）種別毎又は無線ベアラ（Ｒａｄｉｏ  Ｂｅａｒｅｒ）種別毎に測定されてもよい。
【００７７】
送信データ量及び受信データ量は、ＲＬＣレイヤのデータ量であってもよい。送信データ量及び受信データ量は、ＰＤＣＰレイヤのデータ量であってもよい。
【００７８】
無線リソース量は、周波数リソース、時間リソース、コードリソース又は電力リソースである。無線リソースは、周波数リソース、時間リソース、コードリソース及び電力リソースのうち、２以上の組み合わせであってもよい。なお、周波数リソースは、リソースブロック数であってもよい。
【００７９】
サービス種別は、例えば、ＶｏＩＰ（Ｖｏｉｃｅ  ｏｖｅｒ  Ｉｎｔｅｒｎｅｔ  Ｐｒｏｔｏｃｏｌ）、音声サービス、ストリーミングサービス又はＦＴＰ（Ｆｉｌｅ  Ｔｒａｎｓｆｅｒ  Ｐｒｏｔｏｃｏｌ）などの種別である。
【００８０】
契約種別は、無線端末１０のユーザが加入している契約の種別である。契約種別は、例えば、Ｌｏｗ  Ｃｌａｓｓ契約、Ｈｉｇｈ  Ｃｌａｓｓ契約、定額課金契約又は従量課金契約などの種別である。
【００８１】
優先度クラスは、下りリンク及び上りリンクの伝送の優先度を分類するクラスである。優先度クラスは、例えば、契約種別によって設定されてもよい。なお、優先度クラスが高い呼は、優先度クラスが低い呼よりも優先的に伝送される。優先度クラスは、論理チャネルに対応付けられており、論理チャネル優先度（Ｌｏｇｉｃａｌ  Ｃｈａｎｎｅｌ  Ｐｒｉｏｒｉｔｙ）と称されることもある。また、優先度クラスは、Ｐｒｉｏｒｉｔｙ  Ｃｌａｓｓと称されることもある。
【００８２】
論理チャネル種別は、ＤＣＣＨ（Ｄｅｄｉｃａｔｅｄ  Ｃｏｎｔｒｏｌ  Ｃｈａｎｎｅｌ）又はＤＴＣＨ（Ｄｅｄｉｃａｔｅｄ  Ｔｒａｆｆｉｃ  Ｃｈａｎｎｅｌ）などの種別である。ＤＣＣＨ及びＤＴＣＨは、さらに詳細な複数の論理チャネルによって定義されていてもよい。
【００８３】
無線ベアラ種別は、データを伝送する無線ベアラの種別である。無線ベアラは、論理チャネルと１対１で対応付けられる。従って、無線ベアラは、論理チャネルと同義と考えてもよい。
【００８４】
（ＭＡＣ処理部）
以下において、実施形態に係るＭＡＣ処理部について、図面を参照しながら説明する。図４は、実施形態に係るＭＡＣ処理部２２２を示すブロック図である。
【００８５】
図４に示すように、ＭＡＣ処理部２２２は、ＨＡＲＱ制御部３１０と、状態管理部３２０と、優先度設定部３３０と、スケジューリング係数算出部３４０と、ＵＥ選択部３５０と、周波数リソース管理部３６０と、ＴＲＦ選択部３７０とを有する。
【００８６】
ＨＡＲＱ制御部３１０は、ＭＡＣレイヤにおける再送制御を行う。具体的には、ＨＡＲＱ制御部３１０は、無線端末１０から初めて送信されたブロック（以下、送信ブロック）と無線端末１０から再送されたブロック（以下、再送ブロック）とを合成する。
【００８７】
なお、ＨＡＲＱ制御部３１０は、無線端末１０（ＵＥ）毎に設けられていてもよく、論理チャネル毎に設けられていてもよい。なお、複数の無線端末１０（ＵＥ）に共通のＨＡＲＱ制御部３１０が設けられていてもよい。
【００８８】
状態管理部３２０は、各無線端末１０（ＵＥ）の状態を管理する。状態管理部３２０は、ＨＡＲＱ  Ｅｎｔｉｔｉｙの状態、ＵＥのＭｏｂｉｌｉｔｙの状態、ＤＲＸ状態（間欠受信周期）、上りリンクの同期状態、パーシステントスケジューリングの適用可否、ＭＡＣ  Ｃｏｎｔｒｏｌ  Ｂｌｏｃｋの送信有無、下りリンクの送信状態、バッファ状態などをＵＥ毎に管理する。
【００８９】
優先度設定部３３０は、データ量測定部２２４によって測定された第１呼種の利用実績に基づいて優先度を設定する。例えば、優先度設定部３３０は、図５に示すテーブル参照して、優先度（Ａｐｒｉｏｒｉｔｙ＃ｎ（Ａｍｏｕｎｔｄａｔａ））を設定する。図５に示すテーブルでは、優先度（Ａｐｒｉｏｒｉｔｙ＃ｎ（Ａｍｏｕｎｔｄａｔａ））及び利用実績（Ａｍｏｕｎｔｄａｔａ）が優先度クラス（Ａｐｒｉｏｒｉｔｙ＃ｎ）毎に対応付けられている。図５に示すように、利用実績（Ａｍｏｕｎｔｄａｔａ）が少ないほど、優先度（Ａｐｒｉｏｒｉｔｙ＃ｎ（Ａｍｏｕｎｔｄａｔａ））が高い。また、優先度クラス（Ａｐｒｉｏｒｉｔｙ＃ｎ）が高いほど、優先度（Ａｐｒｉｏｒｉｔｙ＃ｎ（Ａｍｏｕｎｔｄａｔａ））が高い。
【００９０】
スケジューリング係数算出部３４０は、第１呼種の利用実績に基づいて、第１呼種のスケジューリング順を設定する。具体的には、スケジューリング係数算出部３４０は、以下の式に従って、無線端末１０ｎ（ＵＥｎ）のスケジューリング係数Ｃｎを算出する。
【００９１】
【数１】
2010193080.tif 000003
【００９２】
無線端末１０ｎ（ＵＥｎ）の優先度は、上述したように、図５に示すテーブルを用いて、優先度クラス及び利用実績によって特定される。
【００９３】
無線端末１０ｎ（ＵＥｎ）の通信品質は、以下のように求められる。下りリンクの通信品質は、例えば、無線端末１０ｎから無線基地局２０に通知されるＣＱＩ（Ｃｈａｎｎｅｌ  Ｑｕａｌｉｔｙ  Ｉｎｄｉｃａｔｒｏｒ）に基づいて算出される。上りリンクの通信品質は、例えば、無線端末１０ｎから受信する上りリンクのリファレンス信号のＳＩＲ（Ｓｉｇｎａｌ  ｔｏ  Ｉｎｔｅｒｆｅｒｅｎｃｅ  Ｒａｔｉｏ）に基づいて算出される。
【００９４】
なお、上りリンクの通信品質は、上りリンクのリファレンス信号と上りリンクの共有チャネルとの電力オフセット値に基づいて算出されてもよい。このようなケースでは、リファレンス信号の通信品質と電力オフセット値に基づいて、上りリンクの共有チャネルの通信品質が推定される。
【００９５】
無線端末１０ｎ（ＵＥｎ）の平均伝送速度は、無線端末１０ｎに送信する下りリンクの伝送速度の平均値又は無線端末１０ｎから受信する上りリンクの伝送速度の平均値である。平均伝送速度の算出では、例えば、送信バッファに送信データが存在している時間を分母としてもよい。また、平均伝送速度の算出では、送信バッファに送信データが存在している時間及び送信バッファに送信データが存在している時間の合計時間、すなわち、第１呼種が設定されている時間を分母としてもよい。
【００９６】
ここで、スケジューリング係数Ｃｎは、無線端末１０毎に算出されてもよい。このようなケースでは、利用実績としては、無線端末１０毎に測定された利用実績が用いられる。
【００９７】
スケジューリング係数Ｃｎは、サービス種別毎に算出されてもよい。このようなケースでは、利用実績としては、サービス種別毎に測定された利用実績が用いられる。
【００９８】
スケジューリング係数Ｃｎは、契約種別又は優先度クラス毎に算出されてもよい。このようなケースでは、利用実績としては、契約種別又は優先度クラス毎に測定された利用実績が用いられる。
【００９９】
スケジューリング係数Ｃｎは、論理チャネル種別毎又は無線ベアラ種別毎に算出されてもよい。このようなケースでは、利用実績としては、論理チャネル種別毎又は無線ベアラ種別毎に測定された利用実績が用いられる。
【０１００】
ＵＥ選択部３５０は、ダイナミックスケジューリングの第１呼種について、無線リソースを割り当てるべき無線端末１０（ＵＥ）を選択する。具体的には、ＵＥ選択部３５０は、第１呼種のスケジューリング係数Ｃｎに基づいて、無線リソースを割り当てるべき無線端末１０（ＵＥ）を選択する。ＵＥ選択部３５０は、無線リソースを割り当てるべき無線端末１０（ＵＥ）の数をＴＲＦ選択部３７０に通知する。
【０１０１】
このように、ＵＥ選択部３５０は、第１呼種のスケジューリング係数Ｃｎに基づいて、無線端末１０（ＵＥ）に係る第１呼種に無線リソースを割り当てる順序（スケジューリング順）を制御する。
【０１０２】
ここで、大きいスケジューリング係数Ｃｎを有する第１呼種については、無線リソース（タイムスロットや周波数など）が割り当てられる機会が多く、小さいスケジューリング係数Ｃｎを有する第１呼種については、無線リソース（タイムスロットや周波数など）が割り当てられる機会が少ない。すなわち、大きいスケジューリング係数Ｃｎを有する第１呼種については、スケジューリング順が早まり、小さいスケジューリング係数Ｃｎを有する第１呼種については、スケジューリング順が遅れる。
【０１０３】
なお、ＵＥ選択部３５０は、下りリンクについては、スケジューリング係数Ｃｎに加えて、無線端末１０（ＵＥ）に送信すべきデータ量に基づいて、無線端末１０（ＵＥ）を選択してもよい。ＵＥ選択部３５０は、上りリンクについては、スケジューリング係数Ｃｎに加えて、無線端末１０（ＵＥ）から受信すべきデータ量に基づいて、無線端末１０（ＵＥ）を選択してもよい。
【０１０４】
無線端末１０（ＵＥ）に送信すべきデータ量は、無線基地局２０に設けられたバッファのバッファ量に基づいて取得される。無線端末１０（ＵＥ）から受信すべきデータ量は、無線端末１０から報告されるバッファ量（Ｂｕｆｆｅｒ  Ｓｔａｔｕｓ  Ｒｅｐｏｒｔ）に基づいて推定される。
【０１０５】
周波数リソース管理部３６０は、周波数リソースを管理する。具体的には、周波数リソース管理部３６０は、ダイナミックスケジューリングが適用される下りリンク共有チャネルで使用可能な残り周波数リソースを監視する。周波数リソース管理部３６０は、残り周波数リソースをＴＲＦ選択部３７０に通知する。
【０１０６】
ＴＲＦ選択部３７０は、ダイナミックスケジューリングの第１呼種について、下りリンク共有チャネル（ＤＬ−ＳＣＨ）の送信フォーマットを決定する。また、ＴＲＦ選択部３７０は、下りリンク共有チャネル（ＤＬ−ＳＣＨ）の送信フォーマットに応じて、無線リソース（タイムスロットや周波数）を割り当てる。具体的には、ＴＲＦ選択部３７０は、ＵＥ選択部３５０から通知された、無線端末１０（ＵＥ）の数及び周波数リソース管理部３６０から通知された残り周波数リソースに基づいて、無線リソースを割り当てる。
【０１０７】
（無線基地局の動作）
以下において、実施形態に係る無線基地局の動作について、図面を参照しながら説明する。図６は、実施形態に係る無線基地局２０の動作を示すフロー図である。
【０１０８】
図６に示すように、ステップ１０において、無線基地局２０は、通信品質を取得する。下りリンクの通信品質は、例えば、ＣＱＩに基づいて算出される。上りリンクの通信品質は、例えば、リファレンス信号のＳＩＲに基づいて算出される。
【０１０９】
ステップ２０において、無線基地局２０は、無線端末１０（ＵＥ）の平均伝送速度を取得する。平均伝送速度は、無線端末１０に送信する下りリンクの伝送速度の平均値又は無線端末１０から受信する上りリンクの伝送速度の平均値である。
【０１１０】
ステップ３０において、無線基地局２０は、第１呼種の利用実績を取得する。第１呼種の利用実績としては、例えば、以下に示す利用実績を用いることができる。
（１）  第１呼種を行っている間における下りリンクの送信データ量の累積値
（２）  第１呼種を行っている間における上りリンクの受信データ量の累積値
（３）  第１呼種を行っている間における下りリンク及び上りリンクの送信データ量の累積値
（４）  第１呼種を行っている間における下りリンクのデータ送信に用いる無線リソース量の累積値
（５）  第１呼種を行っている間における上りリンクのデータ受信に用いる無線リソース量の累積値
（６）  第１呼種を行っている間における上りリンクのデータ送信及びデータ受信に用いる無線リソース量の累積値
【０１１１】
ステップ４０において、無線基地局２０は、優先度を取得する。例えば、無線基地局２０は、図５に示すテーブルを参照して、利用実績（Ａｍｏｕｎｔｄａｔａ）及び優先度クラス（Ａｐｒｉｏｒｉｔｙ＃ｎ）に基づいて、優先度（Ａｐｒｉｏｒｉｔｙ＃ｎ（Ａｍｏｕｎｔｄａｔａ））を特定する。
【０１１２】
ステップ５０において、無線基地局２０は、無線端末１０ｎ（ＵＥｎ）のスケジューリング係数Ｃｎを取得する。例えば、無線基地局２０は、以下の式に従って、無線端末１０ｎ（ＵＥｎ）のスケジューリング係数Ｃｎを算出する。
【０１１３】
【数２】
2010193080.tif 000004
【０１１４】
（作用及び効果）
実施形態では、スケジューリング係数算出部３４０は、第１呼種を行っている間の第１呼種の利用実績に基づいて、第１呼種のスケジューリング係数Ｃｎを算出する。ＵＥ選択部３５０は、第１呼種のスケジューリング係数Ｃｎに基づいて、無線端末１０（ＵＥ）に係る第１呼種に無線リソースを割り当てる順序（スケジューリング順）を制御する。
【０１１５】
ここで、実施形態では、第１呼種の利用実績が多いほど、スケジューリング順を遅らせ、第１呼種の利用実績が少ないほど、スケジューリング順を早める。従って、公平なサービスの提供することができる。
【０１１６】
実施形態では、スケジューリング係数Ｃｎが優先度（Ａｐｒｉｏｒｉｔｙ＃ｎ（Ａｍｏｕｎｔｄａｔａ））に基づいて算出されており、優先度（Ａｐｒｉｏｒｉｔｙ＃ｎ（Ａｍｏｕｎｔｄａｔａ））は、利用実績（Ａｍｏｕｎｔｄａｔａ）に基づいて特定される。従って、スケジューリング係数Ｃｎは、利用実績（Ａｍｏｕｎｔｄａｔａ）に基づいて算出されることに留意すべきである。
【０１１７】
実施形態では、優先度（Ａｐｒｉｏｒｉｔｙ＃ｎ（Ａｍｏｕｎｔｄａｔａ））は、優先度クラス（Ａｐｒｉｏｒｉｔｙ＃ｎ）に基づいて特定される。従って、スケジューリング係数Ｃｎの算出では、優先度クラス（Ａｐｒｉｏｒｉｔｙ＃ｎ）も考慮されていることに留意すべきである。
【０１１８】
［変更例１］
以下において、実施形態の変更例１について、図面を参照しながら説明する。以下においては、第１実施形態との相違点について主として説明する。
【０１１９】
具体的には、変更例１では、無線端末１０ｎ（ＵＥｎ）の優先度に代えて、無線端末１０ｎ（ＵＥｎ）の目標伝送速度に基づいて、スケジューリング係数Ｃｎを算出する。具体的には、無線基地局２０（スケジューリング係数算出部３４０）は、以下の式に従って、無線端末１０ｎ（ＵＥｎ）のスケジューリング係数Ｃｎを算出する。
【０１２０】
【数３】
2010193080.tif 000005
【０１２１】
無線端末１０ｎ（ＵＥｎ）の目標伝送速度は、例えば、図７に示すテーブルを用いて、優先度クラス及び利用実績によって特定される。図７に示すテーブルでは、目標伝送速度（Ｒｔａｒｇｅｔ，ｐｒｉｏｒｉｔｙ＃ｎ（Ａｍｏｕｎｔｄａｔａ））及び利用実績（Ａｍｏｕｎｔｄａｔａ）が優先度クラス（Ａｐｒｉｏｒｉｔｙ＃ｎ）毎に対応付けられている。図７に示すように、利用実績（Ａｍｏｕｎｔｄａｔａ）が少ないほど、目標伝送速度（Ｒｔａｒｇｅｔ，ｐｒｉｏｒｉｔｙ＃ｎ（Ａｍｏｕｎｔｄａｔａ））が高い。また、優先度クラス（Ａｐｒｉｏｒｉｔｙ＃ｎ）が高いほど、目標伝送速度（Ｒｔａｒｇｅｔ，ｐｒｉｏｒｉｔｙ＃ｎ（Ａｍｏｕｎｔｄａｔａ））が高い。
【０１２２】
（作用及び効果）
変更例１では、実施形態と同様に、スケジューリング係数算出部３４０は、第１呼種を行っている間の第１呼種の利用実績に基づいて、第１呼種のスケジューリング係数Ｃｎを算出する。ＵＥ選択部３５０は、第１呼種のスケジューリング係数Ｃｎに基づいて、無線端末１０（ＵＥ）に係る第１呼種に無線リソースを割り当てる順序（スケジューリング順）を制御する。
【０１２３】
ここで、変更例１では、実施形態と同様に、第１呼種の利用実績が多いほど、スケジューリング順を遅らせ、第１呼種の利用実績が少ないほど、スケジューリング順を早める。従って、公平なサービスの提供することができる。
【０１２４】
実施形態では、スケジューリング係数Ｃｎが目標伝送速度（Ｒｔａｒｇｅｔ，ｐｒｉｏｒｉｔｙ＃ｎ（Ａｍｏｕｎｔｄａｔａ））に基づいて算出されており、目標伝送速度（Ｒｔａｒｇｅｔ，ｐｒｉｏｒｉｔｙ＃ｎ（Ａｍｏｕｎｔｄａｔａ））は、利用実績（Ａｍｏｕｎｔｄａｔａ）に基づいて特定される。従って、スケジューリング係数Ｃｎは、利用実績（Ａｍｏｕｎｔｄａｔａ）に基づいて算出されることに留意すべきである。
【０１２５】
実施形態では、目標伝送速度（Ｒｔａｒｇｅｔ，ｐｒｉｏｒｉｔｙ＃ｎ（Ａｍｏｕｎｔｄａｔａ））は、優先度クラス（Ａｐｒｉｏｒｉｔｙ＃ｎ）に基づいて特定される。従って、スケジューリング係数Ｃｎの算出では、優先度クラス（Ａｐｒｉｏｒｉｔｙ＃ｎ）も考慮されていることに留意すべきである。
【０１２６】
［変更例２］
以下において、実施形態の変更例２について、図面を参照しながら説明する。以下においては、第１実施形態との相違点について主として説明する。
【０１２７】
具体的には、変更例２では、無線端末１０ｎ（ＵＥｎ）の優先度に加えて、無線端末１０ｎ（ＵＥｎ）の目標伝送速度に基づいて、スケジューリング係数Ｃｎを算出する。具体的には、無線基地局２０（スケジューリング係数算出部３４０）は、以下の式に従って、無線端末１０ｎ（ＵＥｎ）のスケジューリング係数Ｃｎを算出する。
【０１２８】
【数４】
2010193080.tif 000006
【０１２９】
（作用及び効果）
変更例２は、実施形態及び変更例１と同様に、スケジューリング係数算出部３４０は、第１呼種を行っている間の第１呼種の利用実績に基づいて、第１呼種のスケジューリング係数Ｃｎを算出する。従って、実施形態及び変更例１と同様の効果を奏することは勿論である。
【０１３０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１３１】
実施形態では、無線通信システムとして、ＬＴＥが適用されるシステムを例示したが、実施形態はこれに限定されるものではない。例えば、無線通信システムは、Ｒ９９が適用されるシステムであってもよい。
【０１３２】
実施形態では、第１呼種の利用実績に基づいて、第１呼種のスケジューリング順が制御されるが、実施形態はこれに限定されるものではない。具体的には、第２呼種の利用実績に基づいて、第２呼種のスケジューリング順が制御されてもよい。
【０１３３】
変更例１及び変更例２では特に触れていないが、目標伝送速度よりも低い平均伝送速度の第１呼種については、スケジューリング係数Ｃｎが最大となるように構成されていてもよい。すなわち、目標伝送速度よりも低い平均伝送速度の第１呼種が最優先されてもよい。
【符号の説明】
【０１３４】
１０・・・無線端末、２０・・・無線基地局、３０・・・アクセスゲートウェイ、４０・・・コアネットワーク、８０・・・セル、１００・・・コアネットワーク、２１０・・・無線通信部、２２０・・・ベースバンド信号処理部、２２１・・・Ｌ１処理部、２２２・・・ＭＡＣ処理部、２２３・・・ＲＬＣ／ＰＤＣＰ処理部、２２４・・・データ量測定部、２３０・・・伝送路ＩＦ、２４０・・・呼処理部、３１０・・・ＨＡＲＱ制御部、３２０・・・状態管理部、３３０・・・優先度設定部、３４０・・・スケジューリング係数算出部、３５０・・・ＵＥ選択部、３６０・・・周波数リソース管理部、３７０・・・ＴＲＦ選択部
【図１】
2010193080.tif 000007
【図２】
2010193080.tif 000008
【図３】
2010193080.tif 000009
【図４】
2010193080.tif 000010
【図５】
2010193080.tif 000011
【図６】
2010193080.tif 000012
【図７】
2010193080.tif 000013